(57)【要約】ユーザプロファイルデータを生成し、ユーザプロファイルデータを携帯型計算装置に格納する装置及び方法である。ユーザプロファイルデータは、第１のデータベース内のデータに関連するユーザの好みを含む。第１の計算装置は生成されたユーザプロファイルデータを有する。第１の計算装置は、携帯型計算装置に電気的に結合される。携帯型計算装置は、生成されたユーザプロファイルデータを第１の計算装置から携帯型計算装置へ複製するよう適合される。携帯型計算装置は、第１の計算装置から電気的に外されるよう適合される。
2006510110.tif 000002
【特許請求の範囲】
【請求項１】
第２の計算装置に電気的に結合された第１の計算装置を有し、前記第１の計算装置は生成されたユーザプロファイルデータを有し、前記生成されたユーザプロファイルデータは、第１のデータベース内のデータに関連するユーザの好みを有し、前記第２の計算装置は前記第１の計算装置から前記生成されたユーザプロファイルデータを複製し格納するよう適合され、前記第２の計算装置は前記第１の計算装置から電気的に外されるよう適合される、電気的構造。
【請求項２】
前記第１のデータベースは前記第１の計算装置から遠隔位置にある、請求項１記載の電気的構造。
【請求項３】
前記第１の計算装置は第１のメモリ装置を有し、前記第１のデータベースは前記第１のメモリ装置に格納される、請求項１記載の電気的構造。
【請求項４】
前記第１の計算装置は、コンピュータ、パーソナルコンピュータ（ＰＣ）、パーソナルビデオレコーダ（ＰＶＲ）、及びオーディオ装置からなる群から選択される、請求項１記載の電気的構造。
【請求項５】
前記第２の計算装置は、前記ユーザプロファイルデータを格納するメモリ装置を有する、請求項１記載の電気的構造。
【請求項６】
前記メモリ装置は、フラッシュメモリ、ランダムアクセスメモリ（ＲＡＭ）、及び電気的に消去可能な読み出し専用メモリ（ＥＥＰＲＯＭ）からなる群から選択される、請求項５記載の電気的構造。
【請求項７】
前記第２の計算装置は、前記ユーザプロファイルデータを処理する中央処理装置（ＣＰＵ）を有する、請求項１記載の電気的構造。
【請求項８】
前記第２の計算装置はスマートカードである、請求項１記載の電気的構造。
【請求項９】
前記生成されたユーザプロファイルデータを有する前記第２の計算装置は第３の計算装置に電気的に結合するよう適合され、前記第２の計算装置上の前記生成されたユーザプロファイルデータは第２のデータベース内の指定されたデータにアクセスするよう適合される、請求項１記載の電気的構造。
【請求項１０】
前記第２の計算装置は、前記第２の計算装置上の前記生成されたユーザプロファイルデータに基づいて前記第２のデータベース内の前記指定されたデータをユーザに推奨するよう適合される、請求項９記載の電気的構造。
【請求項１１】
前記第２の計算装置は前記第２の計算装置上の前記生成されたユーザプロファイルデータに基づいて前記第２のデータベース内の前記指定されたデータを処理するよう適合される、請求項９記載の電気的構造。
【請求項１２】
前記第３の計算装置は前記第１の計算装置と同等である、請求項９記載の電気的構造。
【請求項１３】
前記第３の計算装置は、コンピュータ、ＰＣ、ＰＶＲセットトップボックス、及びオーディオ装置からなる群から選択される、請求項９記載の電気的構造。
【請求項１４】
前記第１のデータベース内のデータはビデオデータであり、前記第２のデータベース内のデータはビデオデータである、請求項９記載の電気的構造。
【請求項１５】
前記第１のデータベース内のデータはテキストデータであり、前記第２のデータベース内のデータはテキストデータである、請求項９記載の電気的構造。
【請求項１６】
前記第１のデータベース内のデータはオーディオデータであり、前記第２のデータベース内のデータはオーディオデータである、請求項９記載の電気的構造。
【請求項１７】
前記第１のデータベース内のデータは、航空会社データ、ホテル／モーテルデータ、レンタカーデータ、及び気候調節データからなる群から選択される、請求項９記載の電気的構造。
【請求項１８】
前記第２のデータベース内のデータは前記第１のデータベース内のデータと同等である、請求項９記載の電気的構造。
【請求項１９】
第１の計算装置に電気的に結合された第２の計算装置を有し、前記第２の計算装置は生成されたユーザプロファイルデータを有し、前記生成されたユーザプロファイルデータは第１のデータベース内のデータに関連するユーザの好みを有し、前記第２の計算装置は前記第１の計算装置から電気的に外されるように適合される、電気的構造。
【請求項２０】
前記第２の計算装置はスマートカードである、請求項１９記載の電気的構造。
【請求項２１】
前記ユーザプロファイルデータを有する前記第２の計算装置は第３の計算装置に電気的に結合されるようにされ、前記第２の計算装置上の前記生成されたユーザプロファイルデータは第２のデータベース内の指定されたデータにアクセスするよう適合される、請求項１９記載の電気的構造。
【請求項２２】
前記第１のデータベース内のデータはビデオデータであり、前記第２のデータベース内のデータはビデオデータである、請求項２１記載の電気的構造。
【請求項２３】
前記第１のデータベース内のデータはテキストデータであり、前記第２のデータベース内のデータはテキストデータである、請求項２１記載の電気的構造。
【請求項２４】
前記第１のデータベース内のデータはオーディオデータであり、前記第２のデータベース内のデータはオーディオデータである、請求項２１記載の電気的構造。
【請求項２５】
前記第１のデータベース内のデータは、航空会社データ、ホテル／モーテルデータ、レンタカーデータ、及び気候調節データからなる群から選択される、請求項２１記載の電気的構造。
【請求項２６】
第２の計算装置に電気的に結合された第１の計算装置を与える段階と、
前記第１の装置によりユーザプロファイルデータを生成し、前記ユーザプロファイルデータは第１のデータベース内のデータに関連するユーザの好みを有する、段階と、
前記ユーザプロファイルデータを前記第２の計算装置へ複製する段階と、
前記第２の計算装置を前記第１の計算装置から電気的に外す段階と、
前記第２の計算装置を第３の計算装置へ電気的に結合する段階と、
前記第２の計算装置により、前記第２の計算装置からの前記ユーザプロファイルデータに基づいて第２のデータベース内の指定されたデータにアクセスする段階とを有する、
方法。
【請求項２７】
前記第１のデータベースは前記第１の計算装置から遠隔位置にある、請求項２６記載の方法。
【請求項２８】
前記第１の計算装置は第１のメモリ装置を有し、前記第１のデータベースは前記第１のメモリ装置に格納される、請求項２６記載の方法。
【請求項２９】
前記第１の計算装置は、コンピュータ、パーソナルコンピュータ（ＰＣ）、パーソナルビデオレコーダ（ＰＶＲ）、及びオーディオ装置からなる群から選択される、請求項２６記載の方法。
【請求項３０】
前記第２の計算装置は、前記ユーザプロファイルデータを格納するメモリ装置を有する、請求項２６記載の方法。
【請求項３１】
前記メモリ装置は、フラッシュメモリ、ランダムアクセスメモリ（ＲＡＭ）、及び電気的に消去可能な読み出し専用メモリ（ＥＥＰＲＯＭ）からなる群から選択される、請求項２６記載の電気的構造。
【請求項３２】
前記第２の計算装置は、前記ユーザプロファイルデータを処理するＣＰＵを有する、請求項２６記載の方法。
【請求項３３】
前記第２の計算装置はスマートカードである、請求項２６記載の方法。
【請求項３４】
前記生成されたユーザプロファイルデータを有する前記第２の計算装置は第３の計算装置に電気的に結合するよう適合され、前記第２の計算装置上の前記生成されたユーザプロファイルデータは第２のデータベース内の指定されたデータにアクセスするよう適合される、請求項２６記載の方法。
【請求項３５】
前記第２の計算装置は前記第２の計算装置上の前記生成されたユーザプロファイルデータに基づいて前記第２のデータベース内の前記指定されたデータを処理するよう適合される、請求項２６記載の方法。
【請求項３６】
前記第３の計算装置は前記第１の計算装置と同等である、請求項２６記載の方法。
【請求項３７】
前記第３の計算装置は、コンピュータ、ＰＣ、ＰＶＲセットトップボックス、及びオーディオ装置からなる群から選択される、請求項２６記載の方法。
【請求項３８】
前記第１のデータベース内のデータはビデオデータであり、前記第２のデータベース内のデータはビデオデータである、請求項２６記載の方法。
【請求項３９】
前記第１のデータベース内のデータはテキストデータであり、前記第２のデータベース内のデータはテキストデータである、請求項２６記載の方法。
【請求項４０】
前記第１のデータベース内のデータはオーディオデータであり、前記第２のデータベース内のデータはオーディオデータである、請求項２６記載の方法。
【請求項４１】
前記第１のデータベース内のデータは、航空会社データ、ホテル／モーテルデータ、レンタカーデータ、及び気候調節データからなる群から選択され、前記第２のデータベース内のデータは、航空会社データ、ホテル／モーテルデータ、レンタカーデータ、及び気候調節データからなる群から選択される、請求項２６記載の方法。
【請求項４２】
前記第２のデータベースは前記第１のデータベースと同等である、請求項２６記載の方法。
【請求項４３】
第２の計算装置に電気的に結合された第１の計算装置を与える段階と、
前記第２の装置によりユーザプロファイルデータを生成し、前記ユーザプロファイルデータは第１のデータベース内のデータに関連するユーザの好みを有する、段階と、
前記第２の計算装置を前記第１の計算装置から電気的に外す段階と、
前記第２の計算装置を第３の計算装置へ電気的に結合する段階と、
前記第２の計算装置により、前記第２の計算装置からの前記ユーザプロファイルデータに基づいて第２のデータベース内の指定されたデータにアクセスする段階とを有する、
方法。
【請求項４４】
前記第２の計算装置はスマートカードである。請求項４３記載の方法。
【請求項４５】
前記第１のデータベースは前記第１の計算装置から遠隔位置にある、請求項４３記載の方法。
【請求項４６】
前記第１の計算装置は第１のメモリ装置を有し、前記第１のデータベースは前記第１のメモリ装置に格納される、請求項４３記載の方法。
【請求項４７】
前記第２の計算装置により、前記第２の計算装置上の前記生成されたユーザプロファイルデータに基づいて前記第２のデータベース内の前記指定されたデータをユーザに推奨する段階を更に有する、請求項４３記載の方法。
【請求項４８】
前記第２の計算装置上の前記生成されたユーザプロファイルデータに基づいて前記第２のデータベース内の前記指定されたデータを処理する段階を更に有する、請求項４３記載の方法。
【請求項４９】
前記第１のデータベース内のデータはビデオデータであり、前記第２のデータベース内のデータはビデオデータである、請求項４３記載の方法。
【請求項５０】
前記第１のデータベース内のデータはテキストデータであり、前記第２のデータベース内のデータはテキストデータである、請求項４３記載の方法。
【請求項５１】
前記第１のデータベース内のデータはオーディオデータであり、前記第２のデータベース内のデータはオーディオデータである、請求項４３記載の方法。
【請求項５２】
前記第１のデータベース内のデータは、航空会社データ、ホテル／モーテルデータ、レンタカーデータ、及び気候調節データからなる群から選択され、前記第２のデータベース内のデータは、航空会社データ、ホテル／モーテルデータ、レンタカーデータ、及び気候調節データからなる群から選択される、請求項４３記載の方法。
【発明の詳細な説明】
【技術分野】
【０００１】
本発明は、ユーザプロファイルデータを生成し、ユーザプロファイルデータを携帯型コンピュータ装置に格納する装置及び関連する方法に関連する。
【背景技術】
【０００２】
ユーザプロファイルの格納は、一般的には、かさばる永久的な装置の使用を必要とする。かさばる永久的な装置は、扱いにくいものでありうる。
【発明の開示】
【発明が解決しようとする課題】
【０００３】
従って、かさばらず永久的でない装置上にユーザプロファイルを作成する必要がある。
【課題を解決するための手段】
【０００４】
本発明は、第２の計算装置に電気的に結合された第１の計算装置を有し、第１の計算装置は生成されたユーザプロファイルデータを有し、生成されたユーザプロファイルデータは、第１のデータベース内のデータに関連するユーザの好みを有し、第２の計算装置は第１の計算装置から生成されたユーザプロファイルデータを複製し格納するよう適合され、第２の計算装置は第１の計算装置から電気的に外されるよう適合される、電気的構造を提供する。
【０００５】
本発明は、第１の計算装置に電気的に結合された第２の計算装置を有し、第２の計算装置は生成されたユーザプロファイルデータを有し、生成されたユーザプロファイルデータは第１のデータベース内のデータに関連するユーザの好みを有し、第２の計算装置は第１の計算装置から電気的に外されるように適合される、電気的構造を提供する。
【０００６】
本発明は、
第２の計算装置に電気的に結合された第１の計算装置を与える段階と、
第１の装置によりユーザプロファイルデータを生成し、ユーザプロファイルデータは第１のデータベース内のデータに関連するユーザの好みを有する、段階と、
ユーザプロファイルデータを第２の計算装置へ複製する段階と、
第２の計算装置を第１の計算装置から電気的に外す段階と、
第２の計算装置を第３の計算装置へ電気的に結合する段階と、
第２の計算装置により、第２の計算装置からのユーザプロファイルデータに基づいて第２のデータベース内の指定されたデータにアクセスする段階とを有する、
方法を提供する。
【０００７】
本発明は、
第２の計算装置に電気的に結合された第１の計算装置を与える段階と、
第２の装置によりユーザプロファイルデータを生成し、ユーザプロファイルデータは第１のデータベース内のデータに関連するユーザの好みを有する、段階と、
第２の計算装置を第１の計算装置から電気的に外す段階と、
第２の計算装置を第３の計算装置へ電気的に結合する段階と、
第２の計算装置により、第２の計算装置からのユーザプロファイルデータに基づいて第２のデータベース内の指定されたデータにアクセスする段階とを有する、
方法を提供する。
【発明を実施するための最良の形態】
【０００８】
図１は、本発明の実施例による、第１の計算装置４に電気的に結合及び／又は機械的に結合された第２の計算装置８を有する電気的構造１を示すブロック図である。第２の計算装置８は、第１の計算装置４から電気的及び／又は機械的に外されるよう、また、第３の計算装置１０に電気的及び／又は機械的に結合されるよう適合される。第１の計算装置４は、中央処理装置（ＣＰＵ）５、入力装置１５、メモリ装置９、及び出力装置１９を有しうる。入力装置１５は、当業者に周知の任意の入力装置でありえ、例えば特にキーパッド、キーボード等でありうる。出力装置１９は、当業者に周知の任意の出力装置でありえ、例えば特にモニタ、テレビジョン、プリンタ等でありうる。メモリ装置９は、当業者に周知の任意のメモリ装置でありえ、例えば特に、ハードドライブ、磁気コンピュータディスク、コンパクトディスク（ＣＤ）、フラッシュメモリ、ランダムアクセスメモリ（ＲＡＭ）、電気的に消去可能なプログラマブルな読み出し専用メモリ（ＥＥＰＲＯＭ）等である。
【０００９】
第３の計算装置１０は、中央処理装置（ＣＰＵ）７、入力装置１４、メモリ装置１２、及び出力装置１８を有しうる。入力装置１４は、当業者に周知の任意の入力装置でありえ、例えば特にキーパッド、キーボード等である。出力装置１８は、当業者に周知の任意の出力装置でありえ、例えば特に、モニタ、テレビジョン、プリンタ等でありうる。メモリ装置１２は、当業者に周知の任意のメモリ装置でありえ、例えば特に、ハードドライブ、磁気コンピュータディスク、コンパクトディスク（ＣＤ）、フラッシュメモリ、ランダムアクセスメモリ（ＲＡＭ）、電気的に消去可能なプログラマブルな読み出し専用メモリ（ＥＥＰＲＯＭ）等である。第１の計算装置４と第３の計算装置１０は、同等でありうる。
【００１０】
第２の計算装置８は、中央処理装置（ＣＰＵ）１１及びメモリ装置６を有しうる。メモリ装置６は、当業者に周知の任意のメモリ装置でありえ、例えば特に、ハードドライブ、磁気コンピュータディスク、コンパクトディスク（ＣＤ）、フラッシュメモリ、ランダムアクセスメモリ（ＲＡＭ）、電気的に消去可能なプログラマブルな読み出し専用メモリ（ＥＥＰＲＯＭ）等である。メモリ装置６は、約２キロバイト（ＫＢ）乃至約６４メガバイト（ＭＢ）の範囲のメモリ容量を有しうるものである。第２の計算装置８は、特にスマートカードでありうる。スマートカードは、特に、物理的接続を必要とする接触型スマートカードであっても、無線機能を有する無線周波（ＲＦ）スマートカードであってもよい。第１の計算装置４は、特に、コンピュータ、パーソナルコンピュータ（ＰＣ）、ラップトップコンピュータ、パーソナル・ビデオ・レコーダ（ＰＶＲ）、オーディオ装置（ラジオ、自動車用ラジオ、コンパクトディスク・プレーヤ／レコーダ等）、ビデオ装置（ビデオ・カセット・レコーダ、ディジタル・ビデオ・ディスク・プレーヤ／レコーダ、テレビジョン等）等でありうる。
【００１１】
第１の計算装置４は、メモリ装置９内に格納された第１のデータベース１０９内にデータを有しうる。或いは、第１のデータベース１０９内のデータは第１の計算装置４から遠隔位置に配置されてもよく、第１のデータベース１０９内のデータは、特に、ネットワークリンク、インターネットリンク、イーサネット（登録商標）リンク、電話リンク、無線リンク等を通じてアクセスされうる。第１の計算装置４は、特定のユーザ用のユーザプロファイルデータを作成する。
【００１２】
第１の計算装置４に電気的に結合された及び／又は機械的に結合された第２の計算装置８は、ユーザプロファイルデータの複製を生成し、複製をメモリ装置６内に格納する。ユーザプロファイルデータを有する第２の計算装置８は、第１の計算装置４から電気的に及び／又は機械的に外され、次に第３の計算装置１０に電気的に及び／又は機械的に結合される（例えば図２に図示する）。第３の計算装置１０は、第２のデータベース１１２内にデータを有しうる。第２のデータベース１１２内のデータは、メモリ装置１２内に格納されうる。或いは、第２のデータベース１１２内のデータは、第３の計算装置１０から遠隔位置に配置されえ、第２のデータベース１１２内のデータは、特に、ネットワークリンク、インターネットリンク、イーサネット（登録商標）リンク、電話リンク、無線リンク等を通じてアクセスされうる。
【００１３】
第１のデータベース１０９内のデータ及び／又は第２のデータベース１１２内のデータは、特に、オーディオデータ、ビデオデータ、テキストデータ等を有しうる。第１のデータベース１０９内のデータ及び／又は第２のデータベース１１２内のデータは、特に、オーディオデータ、ビデオデータ、テキストデータ等を有しうる。第１のデータベース１０９内のデータ及び／又は第２のデータベース１１２内のデータは、特に、ホテル／モーテルに関するデータ（例えば、料金、利用可能性等）、レンタカーに関するデータ（例えば、料金、利用可能性、ラジオ設定、温度設置等）、気候制御に関するデータ（例えば、望まれる温度設定）、航空会社に関するデータ（例えば、料金、利用可能性等）等を有しうる。
【００１４】
ユーザプロファイルデータは、第１のデータベース１０９内のデータに関するユーザの好みを有し、第２の計算装置８によって、第２のデータベース１１２内のデータにアクセスするため及び／又は使用するために使用される。例えば、ユーザは、特定の場所（例えば自宅）にＰＶＲ（例えば、第１の計算装置４）を有しうる。ユーザは、ユーザが特定の種類のテレビジョン（ＴＶ）番組（例えば、サイエンスフィクション）を好み、或る時間に視聴することを望むことを指定する。ＰＶＲは、第１のデータベース１０９内のカテゴリに関してユーザ指定に基づいてユーザプロファイルを生成する。ユーザプロファイルは、スマートカード（例えば、第２の計算装置８）上に転送又は複製される。ユーザは、ここで、スマートカードを遠隔位置（即ち、ホテルの部屋）へ持っていき、スマートカードを第２のＰＶＲ（例えば、第３の計算装置１０）に結合しうる。ユーザプロファイルデータは、適切な内容（例えば、ＴＶ番組）にアクセスし、スマートカードは、ユーザプロファイルデータに基づいて適切な内容の表示を制御する。
【００１５】
或いは、ユーザプロファイルデータは、適当な内容（ＴＶ番組）にアクセスしてもよく、スマートカードはユーザプロファイルデータに基づいてユーザへ指定されたコンテンツを推奨する。可搬ユーザプロファイルの用途は限られておらず、特に、ＰＶＲ上の指定されたエンターテインメント・コンテンツを推奨すること又はアクセスすること、自動車用と（ラジオ設定、温度設定、シート設置）、ＴＶ又はモニタ設置（例えば、コントラスト、明るさ等）、自宅における環境設定（例えば、熱、光、電気機器等）、航空会社又はホテルの予約等を含みうる。
【００１６】
ユーザプロファイルデータは、任意の多くの方法で生成されえ、例えば、明示的に、暗示的に、及び／又は協調的に生成されうる。ユーザプロファイルデータを明示的に生成するために、ユーザ入力データ（例えば、ユーザ指定設定、好み、等）は、入力装置１５を通じて第１の計算装置４へ入力され、ユーザプロファイルデータは、例えば、ここに全体として組み入れられる「Method and Apparatus for Generating Recommendation scores using
Implicit and Explicit Viewing Preferences」なる名称の２０００年９月２０日出願の米国特許出願第０９／６６６４０１号に基づいて作成される。ユーザプロファイルデータを暗示的に生成するために、ユーザ履歴データ（例えば、過去のユーザ設定、好み等）は第１の計算装置４に格納され、ユーザ履歴データは、例えば、ここに全体として組み入れられる「Method
and Apparatus for Recommending Television Programming using Decision Trees」なる名称の１９９９年１２月１７日出願の米国特許出願第０９／４６６４０６号に記載のようにユーザ履歴データに基づいて作成される。ユーザプロファイルデータを協調的に生成するために、ユーザ入力データ（例えば、ユーザによって指定された設定、好み等）は入力装置１５を通じて第１の計算装置４に入力され、地理的ユーザデータ（例えば、ユーザの特定の地域、設定、好み等）は、例えば、ここに全体として組み入れられる「Four-Way
Recommendation Method and System Including Collaborative Filtering」なる名称の２００１年９月１０日出願の米国特許出願第０９／９５３３８５号に記載のように第１の計算装置４に格納される。
【００１７】
ユーザ入力データと地理的ユーザデータの組合せは、ユーザプロファイルを作成するのに使用される。第２の計算装置８は、ユーザプロファイルデータと第２のデータベース１１２との比較に基づいて、第２のデータベース１１２内のユーザ指定のデータ（例えば、ＴＶ番組、指定された設定、ホテルの好み等）を推奨しうる。或いは、第２の計算装置８は、ユーザプロファイルデータと第２のデータベース１１２との比較に基づいて、第２のデータベース１１２内の指定されたデータ（例えば、変更設定、予約設定、特定の番組又は映画を有効とする等）を処理すること及び／又は使用することができる。第１のデータベース１０９は、第２のデータベース１１２と同等であり得る。他の実施例として、ユーザプロファイルは、第１の計算装置４の代わりに第２の計算装置８（例えば図４に図示）上に直接生成されてもよく、それにより第１の計算装置４から第２の計算装置８へユーザプロファイルデータを複製する必要をなくす。他の実施例の全ての他の特徴は、上述の第１の実施例と同等である。
【００１８】
図２は、本発明の実施例による、第３の計算装置１０に電気的に結合された及び／又は機械的に結合された第２の計算装置８を有する電気的構造２の図１のブロック図である。図１と対照的に、第２の計算装置８は、第１の計算装置４から電気的及び／又は機械的に外され、第３の計算装置１０に電気的及び／又は機械的に結合される。
【００１９】
図３は、本発明の実施例による、第１の計算装置４上にユーザプロファイルデータを生成し、ユーザプロファイルデータを用いて第２のデータベース内のデータを処理する、図１及び図２で用いられる方法のアルゴリズムを示すフローチャートである。ステップ３０は、ユーザプロファイルデータの生成の処理の開始を表わす。ステップ３２において、第１のデータベース１０９内のデータは、第１の計算装置４のメモリ装置９にロードされる。或いは、ステップ３２において、第１のデータベース１０９は、遠隔位置に格納されえ、特に、ネットワークリンク、インターネットリンク、イーサネット（登録商標）リンク、電話リンク、無線リンク等を通じてアクセスされうる。ステップ３４において、ユーザプロファイルを、明示的に、暗示的に、及び／又は協調的に生成する選択がなされる。
【００２０】
ステップ３４において、ユーザプロファイルデータを暗示的に生成するかどうかの選択がなされると、ユーザプロファイルデータは、ステップ３８において過去のユーザ履歴データに基づいて暗示的に生成される。ステップ４０において、ユーザプロファイルデータは、第２の計算装置８へ複製される。ステップ４２において、第２の計算装置８は、第１の計算装置４から電気的及び／又は機械的に外され、次に、ステップ４４において、第２の計算装置８は、第３の計算装置１０に電気的及び／又は機械的に結合される。ステップ４６において、第２のデータベース１１２内のデータは、ユーザの好みの可能な一致についてユーザプロファイルデータと比較される。
【００２１】
ステップ３４において、ユーザプロファイルデータを明示的に生成する選択がなされると、ステップ６４において、ユーザプロファイルデータはユーザ入力データに基づいて明示的に生成される。ステップ６４において、ユーザプロファイルデータは、第２の計算装置８へ複製される。ステップ６８において、第２の計算装置８は、第１の計算装置４から電気的及び／又は機械的に外され、ステップ７０において、第２の計算装置８は第３の計算装置１０に電気的及び／又は機械的に結合される。ステップ７２において、第２のデータベース１１２内のデータは、ユーザの好みの可能な一致についてユーザプロファイルデータと比較される。
【００２２】
ステップ３４において、ユーザプロファイルデータを協調的に生成すると選択されると、ステップ５０へ進む。ステップ５２において、ユーザプロファイルデータは、第２の計算装置８へ複製される。ステップ５４において、第２の計算装置８は、第１の計算装置４から電気的及び／又は機械的に外され、ステップ５６において第２の計算装置８は第３の計算装置１０に電気的及び／又は機械的に結合される。ステップ５８において、第２のデータベース１１２はユーザの好みの可能な一致についてユーザプロファイルデータと比較される。
【００２３】
図４は、本発明の実施例による、第２の計算装置上でユーザプロファイルデータを生成するために、図１及び図２で用いられる他の処理のアルゴリズムを示すフローチャートである。図３と比較すると、図３のステップ３０における第１の計算装置４の代わりにステップ８０において第２の計算装置８上でユーザプロファイルデータが生成され、それにより、図３のステップ４０、５２、及び／又は６４に示すように第１の計算装置４から第２の装置８へユーザプロファイルデータを複製する必要はなくなる。図４中の全ての他のステップ８０、８２、８４、８５、８６、８７、８９、９０、９１、９２、９４、９５、９６、及び９７は、図３中のステップ３０、３４、３８、４２、４４、４６、５０、５４、５６、５８、６２、６８、７０及び７２に夫々対応する。
【００２４】
本発明の実施例は、例示のために説明したが、当業者に対して多くの変更及び変化が可能となろう。従って、添付の特許請求の範囲は、本発明の真の趣旨及び範囲に含まれる全てのかかる変更及び変化を含むことが意図される。
【図面の簡単な説明】
【００２５】
【図１】本発明の実施例による、第１の計算装置に電気的に結合された及び／又は機械的に結合された第２の計算装置を有する電気的構造を示すブロック図である。
【図２】本発明の実施例による、第３の計算装置に電気的に結合された及び／又は機械的に結合された第２の計算装置を有する電気的構造の図１のブロック図である。
【図３】本発明の実施例による、第１の計算装置上にユーザプロファイルデータを生成し、ユーザプロファイルデータを用いて第２のデータベース内のデータを処理する、図１及び図２で用いられる方法のアルゴリズムを示すフローチャートである。
【図４】本発明の実施例による、第２の計算装置上でユーザプロファイルデータを生成するために、図１及び図２で用いられる他の処理のアルゴリズムを示すフローチャートである。
【図１】
2006510110.tif 000003
【図２】
2006510110.tif 000004
【図３】
2006510110.tif 000005
【図４】
2006510110.tif 000006
【国際調査報告】
2006510110.tif 000007
2006510110.tif 000008
2006510110.tif 000009
2006510110.tif 000010